(57)【要約】【課題】  放送信号用分配器に用いられるインピーダンス変成トランスや分配トランスなどのフェライト巻線型の高周波トランスにおいて、巻線の全長を変えずに低周波域からインピーダンスを増大し、高周波域のインピーダンス低下を抑える。【解決手段】  コア２を円や角の柱または筒などの棒状に形成し、コア２の外周面に巻線３，４を巻回する。そして、このコア２の周囲から磁束が漏れないように、巻線３，４を巻回したコア２を、コア２と同一材料のフェライトから成り、箱型に形成される被覆部材５で覆い、開放した孔６から前記巻線３，４の両端を引出す。したがって、巻線３，４は引出し位置以外では被覆部材５で被覆されており、磁束の漏れを抑え、巻線３，４の全長を変えずに低周波域からインピーダンスを増大し、高周波域のインピーダンス低下を抑えることができ、該高周波トランス自体での損失を低減することができる。【選択図】      図１
2006156497.tif 000002
【特許請求の範囲】
【請求項１】
棒状のコアと、
前記コアの外周面に巻回され、引出し方向が略等しい複数の巻線と、
磁性材料から成り、一面の少なくとも一部を開放した箱型に形成される被覆部材とを含み、
前記被覆部材内に前記巻線の巻回されたコアを収納し、前記開放によって形成された孔から前記巻線の両端を引出して成ることを特徴とする高周波トランス。
【請求項２】
前記棒状のコアの外周面において、周方向の少なくとも一部分には、該周方向に延びる突条または凹溝を有することを特徴とする請求項１記載の高周波トランス。
【請求項３】
前記箱型の被覆部材はコアの軸線方向に分割可能であり、前記分割された被覆部材の一方の部材は板状体に前記開放部分を有する周壁が立設されて成り、他方の部材は板状体から成り、前記棒状のコアは前記他方の部材に固着されていることを特徴とする請求項１または２記載の高周波トランス。
【請求項４】
前記箱型の被覆部材はコアの軸線方向に分割可能であり、前記分割された被覆部材の一方の部材は板状体に前記開放部分を有する周壁が立設されて成り、他方の部材は板状体から成り、前記棒状のコアは少なくとも一方の部材に形成された凹所に嵌り込み、固定されることを特徴とする請求項１または２記載の高周波トランス。
【請求項５】
前記被覆部材を構成する一方の部材には、位置決め突起または位置決め凹所の一方が形成され、他方の部材には、前記位置決め突起または位置決め凹所の他方が形成されていることを特徴とする請求項３または４記載の高周波トランス。
【請求項６】
前記被覆部材の相互に対向する一対の側壁には、前記開放した孔から連通する凹所を有し、前記凹所にはコアの両端部がそれぞれ嵌り込むことを特徴とする請求項１または２記載の高周波トランス。
【請求項７】
前記棒状のコアの少なくとも一方の端部には、軸線回りの回転を阻止する突起または凹所の一方が形成され、前記被覆部材の対応する側壁には、前記突起または凹所の他方が形成されていることを特徴とする請求項４〜６のいずれか１項に記載の高周波トランス。
【請求項８】
前記コアおよび被覆部材が相互に等しいフェライトから成り、前記請求項１〜７のいずれか１項に記載の高周波トランスから成るインピーダンス変成トランスおよび分配トランスを備えることを特徴とする放送信号用分配器。
【発明の詳細な説明】
【技術分野】
【０００１】
本発明は、放送用信号を分配する分配器を構成するフェライト巻線型のインピーダンス変成トランスや分配トランスなどとして好適に実施される高周波トランスおよびそれを用いる放送信号用分配器に関する。
【背景技術】
【０００２】
高周波信号を伝送する配線システムにおいて、信号を複数に分配するにあたって、比較的帯域が狭い場合には、ストリップラインの長さなどによってインピーダンスの合せ込みを行うことができる。しかしながら、放送波のように比較的広帯域の信号を分配するために用いられる分配器には、前記フェライト巻線型トランスを用いた回路構成が採用される場合が多い。この際、本件発明者が先に提案した特許文献１にも示されるように、分配することによって発生するインピーダンスの不整合を整合するための前記インピーダンス変成トランスと、信号を分ける分配トランスとの２種類の高周波トランスが使用される。
【０００３】
図１８は、その特許文献１に示される典型的な従来技術のインピーダンス変成トランス１０１を詳しく示す斜視図であり、図１９はそれにおけるコア１０２の六面図である。図１９（ａ）は平面図であり、図１９（ｂ）は正面図であり、図１９（ｃ）は右側面図である。底面図は前記図１９（ａ）と同様に現れ、背面図は前記図１９（ｂ）と同様に現れ、左側面図は前記図１９（ｃ）と同様に現れる。前記コア１０２は、２つの貫通孔１０３，１０４が形成された、通称、眼鏡型コアである。
【０００４】
前記コア１０２の一方の面１０５から、一方の貫通孔１０３に巻線１０６が挿通され、他方の面１０８から引出された巻線１０６は、折返されて他方の貫通孔１０４に挿通され、前記一方の面１０５から引出される。このようにして、所望の回数繰返し巻付けられた巻線１０６と同様に、巻線１０７が所望の回数巻付けられる。そして、それらの巻線１０６，１０７の一方が貫通孔１０３から突出した線、他方は貫通孔１０４から突出した２本の線１０９を撚り合わせ、インピーダンス変成比によって決定した巻数比から、巻線１０６または巻線１０７の一方を入力とし、他方を接地し、２本の線１０９を出力とすることで、入出力のインピーダンスを変成する。
【特許文献１】特開２００１−３４５２１６号公報
【発明の開示】
【発明が解決しようとする課題】
【０００５】
上述のように構成されるインピーダンス変成トランス１０１において、広帯域に良好な特性を保つためには、接地する側のインピーダンスを、必要帯域内で高く保つ必要がある。しかしながら、インピーダンス変成トランス１０１を大型化したり、巻線長を長く（巻数を多くすることを含む）した場合は、低周波域のインピーダンスは高くできるが、高周波域のインピーダンスが大幅に低くなり、広帯域化は困難になるという問題がある。
【０００６】
本発明の目的は、巻線の全長を変えずに低周波域からインピーダンスを増大し、高周波域のインピーダンス低下を抑えることができる高周波トランスおよびそれを用いる放送信号用分配器を提供することである。
【課題を解決するための手段】
【０００７】
本発明の高周波トランスは、棒状のコアと、前記コアの外周面に巻回され、引出し方向が略等しい複数の巻線と、磁性材料から成り、一面の少なくとも一部を開放した箱型に形成される被覆部材とを含み、前記被覆部材内に前記巻線の巻回されたコアを収納し、前記開放によって形成された孔から前記巻線の両端を引出して成ることを特徴とする。
【０００８】
上記の構成によれば、放送信号用分配器に用いられるインピーダンス変成トランスや分配トランスなどの広い帯域を均等に分配するためにフェライトなどの磁性材料から成るコアに複数の巻線を巻回して成る高周波トランスにおいて、そのコアを円や角の柱または筒などの棒状に形成し、コアの外周面に巻線を巻回する。そして、このコアの周囲から磁束が漏れないように、巻線を巻回したコアを箱型に形成される被覆部材で覆う。前記被覆部材は、好ましくは前記フェライト等の前記コアと同一材料などの磁性材料から成り、一面の少なくとも一部を開放した矩形体または両端を閉塞した円筒などから成り、その開放によって形成された孔から前記巻線の両端を引出す。
【０００９】
したがって、巻線は引出し位置以外では被覆部材で被覆されており、磁束の漏れを抑え、巻線の全長を変えずに低周波域からインピーダンスを増大し、高周波域のインピーダンス低下を抑えることができ、該高周波トランス自体での損失を低減することができる。
【００１０】
また、本発明の高周波トランスでは、前記棒状のコアの外周面において、周方向の少なくとも一部分には、該周方向に延びる突条または凹溝を有することを特徴とする。
【００１１】
上記の構成によれば、コアに巻線を巻回すると、該巻線は２つの突条間または凹溝に嵌り込む。
【００１２】
したがって、巻線し易くなるとともに、ずれが生じず、巻線の間隔や巻き位置を確定することができる。また、そのため、製品間のばらつきを小さくすることができる。
【００１３】
さらにまた、本発明の高周波トランスでは、前記箱型の被覆部材はコアの軸線方向に分割可能であり、前記分割された被覆部材の一方の部材は板状体に前記開放部分を有する周壁が立設されて成り、他方の部材は板状体から成り、前記棒状のコアは前記他方の部材に固着されていることを特徴とする。
【００１４】
上記の構成によれば、前記箱型の被覆部材をコアの軸線方向に分割した２つの部材を組合わせて構成し、その内の一方の部材を板状体に前記開放部分を有する周壁を立設して形成し、他方の部材を板状体から形成し、前記棒状のコアを他方の部材に固着して形成することで、板状体に立設されたコアに、容易に巻線することができる。
【００１５】
また、本発明の高周波トランスでは、前記箱型の被覆部材はコアの軸線方向に分割可能であり、前記分割された被覆部材の一方の部材は板状体に前記開放部分を有する周壁が立設されて成り、他方の部材は板状体から成り、前記棒状のコアは少なくとも一方の部材に形成された凹所に嵌り込み、固定されることを特徴とする。
【００１６】
上記の構成によれば、前記箱型の被覆部材をコアの軸線方向に分割した２つの部材を組合わせて構成し、その内の一方の部材を板状体に前記開放部分を有する周壁を立設して形成し、他方の部材を板状体から形成し、前記棒状のコアを少なくとも一方の部材に形成された凹所に嵌め込み、固定して形成することで、被覆部材とは別ピースのコアに容易に巻線を施した後に、該コアを凹所に嵌め込み、２つの部材を接合することで容易に組立てることができる。
【００１７】
さらにまた、本発明の高周波トランスでは、前記被覆部材を構成する一方の部材には、位置決め突起または位置決め凹所の一方が形成され、他方の部材には、前記位置決め突起または位置決め凹所の他方が形成されていることを特徴とする。
【００１８】
上記の構成によれば、２つに分割された部材を組合わせて前記被覆部材を構成するにあたって、組立てを容易にすることができるとともに、部材間の位置ずれを無くすことができる。
【００１９】
また、本発明の高周波トランスでは、前記被覆部材の相互に対向する一対の側壁には、前記開放した孔から連通する凹所を有し、前記凹所にはコアの両端部がそれぞれ嵌り込むことを特徴とする。
【００２０】
上記の構成によれば、前記箱型の被覆部材に、別ピースのコアに巻線を施した後に、該コアを被覆部材の開放した孔から嵌め込んで組立てるにあたって、該コアは凹所に沿って押込めばよく、組立てを容易にすることができるとともに、コアの軸線とは直交方向の位置ずれを無くすことができる。
【００２１】
さらにまた、本発明の高周波トランスでは、前記棒状のコアの少なくとも一方の端部には、軸線回りの回転を阻止する突起または凹所の一方が形成され、前記被覆部材の対応する側壁には、前記突起または凹所の他方が形成されていることを特徴とする。
【００２２】
上記の構成によれば、被覆部材内にコアを収納するにあたって、該コアの軸線回りの回転を阻止することができ、巻線の両端を、前記被覆部材の開放した孔から正確に引出すことができ、所期の特性を得ることができる。
【００２３】
また、本発明の放送信号用分配器は、前記コアおよび被覆部材が相互に等しいフェライトから成り、前記の高周波トランスから成るインピーダンス変成トランスおよび分配トランスを備えることを特徴とする。
【００２４】
上記の構成によれば、上述のように損失を低減することができる高周波トランスをインピーダンス変成トランスおよび分配トランスとして使用し、それらのコアおよび被覆部材を同じ材質および形状にすることで、それらの部品の品種を削減し、使用数量を増やし、コストダウンを図ることができる。
【発明の効果】
【００２５】
本発明の高周波トランスは、以上のように、放送信号用分配器に用いられるインピーダンス変成トランスや分配トランスなどの広い帯域を均等に分配するためにフェライトなどの磁性材料から成るコアに巻線を巻回して成る高周波トランスにおいて、そのコアを円や角の柱または筒などの棒状に形成し、コアの外周面に複数の巻線を巻回するとともに、このコアの周囲から磁束が漏れないように、巻線を巻回したコアを磁性材料から成り、箱型に形成される被覆部材で覆い、開放した孔から前記巻線の両端を引出す。
【００２６】
それゆえ、巻線は引出し位置以外では被覆部材で被覆されており、磁束の漏れを抑え、巻線の全長を変えずに低周波域からインピーダンスを増大し、高周波域のインピーダンス低下を抑えることができ、該高周波トランス自体での損失を低減することができる。
【００２７】
また、本発明の放送信号用分配器は、以上のように、前記コアおよび被覆部材が相互に等しいフェライトから成り、前記の高周波トランスから成るインピーダンス変成トランスおよび分配トランスを備える。
【００２８】
それゆえ、部品の品種を削減し、使用数量を増やし、コストダウンを図ることができる。
【発明を実施するための最良の形態】
【００２９】
［実施の形態１］
図１は本発明の実施の第１の形態に係るインピーダンス変成トランス１の分解斜視図であり、図２はその組立て状態を示す斜視図である。このインピーダンス変成トランス１は、大略的に、棒状のコア２と、前記コア２の外周面に巻回され、引出し方向が略等しい巻線３，４と、一面の少なくとも一部を開放した箱型に形成される被覆部材５とを備え、前記被覆部材５内に前記巻線３，４の巻回されたコア２を収納し、前記開放した孔６から前記巻線３，４の両端を引出して構成される。
【００３０】
前記コア２は、フェライトから成り、円や角の柱または筒などの前記棒状に形成される（図１では円柱状）。前記巻線３，４は、このコア２の外周面に、それぞれ所望の回数巻付けられる（図１では、巻線３は２回、巻線４は１回）。そして、それらの巻線３，４の一方が前記孔６からそのまま引出された線、他方は孔６から引出された２本の線７を撚り合わせ、インピーダンス変成比によって決定した巻数比から、巻線３または巻線４の一方を入力とし、他方を接地し、２本の線７を出力とすることで、入出力のインピーダンスを変成する。
【００３１】
一方、前記箱型の被覆部材５は、前記コア２と同一材料のフェライトから成り、コア２の軸線方向に分割可能である。分割された被覆部材５の一方の部材８は、板状体８ａに、前記開放した孔６を有する周壁８ｂおよび前記コア２が立設されて成り、他方の部材９は、板状体から成る。
【００３２】
図３は、前記一方の部材８の六面図である。図３（ａ）は平面図であり、図３（ｂ）は正面図であり、図３（ｃ）は右側面図であり、図３（ｄ）は底面図である。このように形成される一方の部材８のコア２に巻線３，４が巻回された後、他方の部材９が一方の部材８に接着などで固定され、該インピーダンス変成トランス１が作製される。
【００３３】
このように巻線３，４を巻回したコア２をフェライトから成り、箱型に形成される被覆部材５で覆うことで、巻線３，４は引出し位置以外では被覆部材５で被覆されており、磁束の漏れを抑え、巻線３，４の全長を変えずに、該インピーダンス変成トランス１の接地側のインピーダンスを増加することで、ＧＮＤに抜ける電力を低減し、該インピーダンス変成トランス１自体での電力損失を低減することができる。
【００３４】
図４は、上述のように構成されるインピーダンス変成トランス１を用いて構成される放送信号用分配器１０の斜視図である。この放送信号用分配器１０は、前記インピーダンス変成トランス１に、分配トランス１１が、同じ基板１２に取付けられて構成されている。分配トランス１１は、インピーダンス変成トランス１に類似しており、対応する部分には同一の参照符号に添字ａを付して示し、その説明を省略する。この分配トランス１１のコア２ａ（不図示）および被覆部材５ａと、インピーダンス変成トランス１のコア２および被覆部材５とは、相互に等しい材料のフェライトから成り、両者は、巻線３ａ，４ａの構造が異なるだけである。すなわち、図１のインピーダンス変成トランス１では、巻線３が２回巻であり、巻線４が１回巻であるのに対して、この分配トランス１１では、たとえば等分配で巻線３ａ，４ａ共に１回巻である。
【００３５】
前記巻数比や巻線３，４，３ａ，４ａの太さなどは、整合すべきインピーダンスや分配比などに応じて適宜変更される。図４の例では、入力側にインピーダンス変成トランス１を備え、出力側に分配トランス１１を備えているが、前記特許文献１のように、入力側に分配トランスを備え、出力側に２つのインピーダンス変成トランスを設ける等、分配器の構造は、適宜選択されればよい。また、分配数も、２分配に限るものではない。
【００３６】
図５は、分配トランスの等価回路図である。分配トランスは、信号を分配する働きのみではなく、端子間のアイソレーション（所謂、端子間結合損失）特性が該分配トランスによって決まる。図６に示すように、従来の分配トランス１１１は、円筒形のフェライトコア１１２に貫通穴１１３を設け、貫通穴１１３に通した巻線１１４と巻線１１５との端部１１６をフェライトコア１１２の側面の略中央で撚り合わせられて構成されている。この端部（入力線）１１６から入力された信号が巻線１１４，１１５の撚り合わせない側（出力線）に分配されて出力される。または、逆に巻線１１４，１１５の撚り合わせない側から信号を入力すると、端部１１６に合成されて出力される。ここで、分配器の出力アイソレーション特性が成り立つためには、巻線１１４，１１５の一方から入力された信号が他方には出力されず、同様に他方から入力された信号も一方には出力されないことが必要である。
【００３７】
この出力端子間アイソレーションを成立させる為には、入力線の特性インピーダンスＺｉｎと、フェライトコア１１２内を巻線１１４，１１５が通った部分の内部インピーダンスＺとが、使用帯域内で等しいことが条件となる。つまり、フェライトコア１１２内を巻線１１４，１１５が通った部分は、広帯域にインピーダンスが一定で、入力線が接続される側の特性インピーダンスと等しく設計する必要がある。
【００３８】
したがって、上述のように被覆部材５ａで覆う分配トランス１１を用い、巻線３ａ，４ａの撚り合わせ部以外の露出部を無くすことで、内部インピーダンスの周波数特性を低減し、端子間アイソレーションの広帯域化を行うことができる。また、コア２，２ａおよび被覆部材５，５ａを、それぞれ同じ材質および形状にすることで、部品の品種を削減し、使用数量を増やし、分配器１０のコストダウンを図ることができる。
【００３９】
被覆部材は、前記被覆部材５，５ａのように矩形体でなくてもよく、両端を閉塞した円筒などでもよい。
【００４０】
［実施の形態２］
図７は本発明の実施の第２の形態に係るインピーダンス変成トランス２１の分解斜視図であり、図８はその組立て状態を示す斜視図である。このインピーダンス変成トランス２１は、上述のインピーダンス変成トランス１に類似し、対応する部分には同一の参照符号を付して示し、その説明を省略する。注目すべきは、このインピーダンス変成トランス２１では、前記箱型の被覆部材２５を形成する２つの部材２８，２９のうち、前記コア２が、板状体２９ａに前記開放した孔６を有する周壁２９ｂを立設して成る一方の部材２９に立設されるのではなく、板状体から成る他方の部材２８に立設されていることである。
【００４１】
このように構成することで、板状体から成る他方の部材２８に立設されたコア２に、容易に巻線することができる。
【００４２】
［実施の形態３］
図９は本発明の実施の第３の形態に係るインピーダンス変成トランス３１の分解斜視図であり、図１０はその組立て状態を示す斜視図である。このインピーダンス変成トランス３１は、前述のインピーダンス変成トランス１に類似し、対応する部分には同一の参照符号を付して示し、その説明を省略する。注目すべきは、このインピーダンス変成トランス３１では、コア３２が、前記箱型の被覆部材３５を形成する一方の部材８の周壁８ｂよりも高く形成されており、これに対応して被覆部材３５を形成する板状体から成る他方の部材３９の中心には、孔３３が穿設されていることである。前記孔３３は、他方の部材３９の位置決めを行えればよく、必ずしも図９および図１０で示すように貫通している必要はない。
【００４３】
これによって、２つに分割された部材８，３９を組合わせて前記被覆部材３５を構成するにあたって、組立てを容易にすることができるとともに、部材間の位置ずれを無くすことができる。
【００４４】
［実施の形態４］
図１１は本発明の実施の第４の形態に係るインピーダンス変成トランス４１の分解斜視図であり、図１２はその組立て状態を示す斜視図である。このインピーダンス変成トランス４１は、前述のインピーダンス変成トランス３１に類似している。注目すべきは、このインピーダンス変成トランス４１では、前記箱型の被覆部材４５を形成する一方の部材４８の周壁４８ｂが、コア２よりも高く形成されており、この四角形の三辺を形成し、一辺を前記孔６として開放する周壁４８ｂ内に、被覆部材４５を形成する板状体から成る他方の部材４９が嵌り込むことである。また、周壁４８ｂの内周面と、他方の部材４９の外周面との何れか一方に位置決め突起または位置決め凹所の一方が形成され、何れか他方にはそれに嵌合する前記位置決め突起または位置決め凹所の他方が形成されていることである（図１１および図１２では、周壁４８ｂに位置決め凹所４８ｃ、他方の部材４９に位置決め突起４９ａ）。
【００４５】
このようにしてもまた、２つに分割された部材４８，４９を組合わせて前記被覆部材４５を構成するにあたって、組立てを容易にすることができるとともに、部材間の位置ずれを無くすことができる。
【００４６】
［実施の形態５］
図１３は本発明の実施の第５の形態に係るインピーダンス変成トランス５１の分解斜視図であり、図１４はその組立て状態を示す斜視図である。このインピーダンス変成トランス５１は、前述のインピーダンス変成トランス１に類似している。注目すべきは、このインピーダンス変成トランス５１では、前記箱型の被覆部材５５は、分割形成されておらず、前記開放した孔６を有し、一体で形成されており、前記コア２が着脱自在に形成されていることである。
【００４７】
そして、前記被覆部材５５の相互に対向する一対の側壁５５ａ，５５ｂには、前記開放した孔６から連通する凹所５５ｃ，５５ｄがそれぞれ形成されており、前記凹所５５ｃ，５５ｄにはコア２の両端部がそれぞれ嵌り込む。したがって、前記箱型の被覆部材５５に、別ピースのコア２に巻線を施した後に、該コア２を被覆部材５５の開放した孔６から嵌め込んで組立てるにあたって、該コア２は凹所５５ｃ，５５ｄに沿って押込めばよく、組立て（巻線作業）を容易にすることができるとともに、コア２の軸線とは直交方向の位置ずれを無くし、特性を安定化することができる。
【００４８】
［実施の形態６］
図１５は本発明の実施の第６の形態に係るインピーダンス変成トランス６１の分解斜視図である。このインピーダンス変成トランス６１は、前述のインピーダンス変成トランス５１に類似している。注目すべきは、このインピーダンス変成トランス６１では、前記棒状のコア６２の少なくとも一方の端部（図１５では両端部）には、軸線回りの回転を阻止する突起または凹所の一方が形成され（図１５では突起６３）、被覆部材６５の対応する側壁６５ａ，６５ｂには、前記突起または凹所の他方（図１５では凹所６４）が形成されていることである。なお、図１５では、前記突起６３を分り易くするために、巻線３，４は省略している。
【００４９】
このように構成することで、被覆部材６５内にコア６２を収納するにあたって、該コア６２の軸線回りの回転を阻止することができ、巻線３，４の両端を、前記被覆部材６５の開放した孔６から正確に引出すことができ、所期の特性を得ることができる。
【００５０】
［実施の形態７］
図１６は本発明の実施の第７の形態に係るインピーダンス変成トランスにおけるコア７２の平面図である。本実施の形態で注目すべきは、前記棒状のコア７２の外周面において、周方向の少なくとも一部分には、該周方向に延びる突条または凹溝（図１６では凹溝７３）を有することである。
【００５１】
したがって、コア７２に前記巻線３，４を巻回すると、該巻線３，４は２つの突条間または凹溝に嵌り込む。したがって、巻線し易くなるとともに、ずれが生じず、巻線の間隔や巻き位置を確定することができる。具体的には、正確に１条巻を実現し、伝送損失を低減することができる。
【００５２】
上述の第２〜第７の実施の形態では、インピーダンス変成トランスについて説明しているけれども、第１の実施の形態と同様に、分配トランスについても同様に構成することができる。この第７の実施の形態を前記分配トランスに適用すると、前記インピーダンス変成トランスと分配トランスとの一般的な巻数の違いによって、前記コア７２は、たとえば図１７で示すコア８２のようになる。
【図面の簡単な説明】
【００５３】
【図１】本発明の実施の第１の形態に係るインピーダンス変成トランスの分解斜視図である。
【図２】図１で示すインピーダンス変成トランスの組立て状態を示す斜視図である。
【図３】図１で示すインピーダンス変成トランスにおける被覆部材を構成する一方の部材の六面図である。
【図４】図１で示すインピーダンス変成トランスを用いて構成される放送信号用分配器の斜視図である。
【図５】分配トランスの等価回路図である。
【図６】従来の分配トランスの斜視図である。
【図７】本発明の実施の第２の形態に係るインピーダンス変成トランスの分解斜視図である。
【図８】図７で示すインピーダンス変成トランスの組立て状態を示す斜視図である。
【図９】本発明の実施の第３の形態に係るインピーダンス変成トランスの分解斜視図である。
【図１０】図９で示すインピーダンス変成トランスの組立て状態を示す斜視図である。
【図１１】本発明の実施の第４の形態に係るインピーダンス変成トランスの分解斜視図である。
【図１２】図１１で示すインピーダンス変成トランスの組立て状態を示す斜視図である。
【図１３】本発明の実施の第５の形態に係るインピーダンス変成トランスの分解斜視図である。
【図１４】図１３で示すインピーダンス変成トランスの組立て状態を示す斜視図である。
【図１５】本発明の実施の第６の形態に係るインピーダンス変成トランスの分解斜視図である。
【図１６】本発明の実施の第７の形態に係るインピーダンス変成トランスにおけるコアの平面図である。
【図１７】本発明の実施の第７の形態に係るインピーダンス変成トランスにおけるコアの平面図である。
【図１８】典型的な従来技術のインピーダンス変成トランスを詳しく示す斜視図である。
【図１９】図１８で示すインピーダンス変成トランスにおけるコアの六面図である。
【符号の説明】
【００５４】
１，２１，３１，４１，５１，６１    インピーダンス変成トランス
２，２ａ，３２，６２，７２，８２    コア
３，４，３ａ，４ａ    巻線
５，５ａ，２５，３５，４５，５５，６５    被覆部材
６    孔
７    撚り合わせた線
８，２９，４８    一方の部材
８ａ    板状体
８ｂ，４８ｂ    周壁
９，２８，３９，４９    他方の部材
１０    放送信号用分配器
１１    分配トランス
３３    孔
４８ｃ  位置決め凹所
４９ａ  位置決め突起
５５ａ，５５ｂ，６５ａ，６５ｂ    側壁
５５ｃ，５５ｄ    凹所
６３    突起
６４    凹所
【図１】
2006156497.tif 000003
【図２】
2006156497.tif 000004
【図３】
2006156497.tif 000005
【図４】
2006156497.tif 000006
【図５】
2006156497.tif 000007
【図６】
2006156497.tif 000008
【図７】
2006156497.tif 000009
【図８】
2006156497.tif 000010
【図９】
2006156497.tif 000011
【図１０】
2006156497.tif 000012
【図１１】
2006156497.tif 000013
【図１２】
2006156497.tif 000014
【図１３】
2006156497.tif 000015
【図１４】
2006156497.tif 000016
【図１５】
2006156497.tif 000017
【図１６】
2006156497.tif 000018
【図１７】
2006156497.tif 000019
【図１８】
2006156497.tif 000020
【図１９】
2006156497.tif 000021